(57)【要約】      （修正有）【課題】変速クラッチの加圧部材を押圧するクラッチリフタカムを軸方向にのみ移動することで、摩擦を低減してクラッチリフタカムに加わる負荷を軽減し、クラッチリフタ機構を円滑に動作させる変速装置を堤供する。【解決手段】レリーズボール７８を間に挟んで対向するクラッチリフタプレート７６とクラッチリフタカム７７が相対回動し、クラッチリフタカム７７が変速クラッチ４０の加圧部材４５を押圧して変速クラッチ４０の接続を解除するクラッチリフタ機構７０と、シフトスピンドルの回動をクラッチリフタプレート７６とクラッチリフタカム７７の相対回動に伝達するクラッチ作動機構とを備え、クラッチリフタプレート７６は軸方向の移動を規制され回動可能に支持され、クラッチリフタカム７７は回動を規制され軸方向にのみ移動可能に支持され、クラッチ作動機構７０は、クラッチリフタプレート７６を回動させることを特徴とする変速装置。【選択図】図５
2017155801.tif 000002
【特許請求の範囲】
【請求項１】
パワーユニット(P)の内燃機関(E)と一体に構成される変速機(M)に変速クラッチ(40)が設けられ、
前記変速クラッチ(40)の中心軸であるクラッチ軸(Lc)上でレリーズボール(78)を間に挟んで対向するクラッチリフタプレート(76)とクラッチリフタカム(77)が互いに相対回動することにより、前記クラッチ軸(Lc)の軸方向に移動する前記クラッチリフタカム(77)が前記変速クラッチ(40)の接続側に加圧する加圧部材(45)を接続側と反対側に押圧して前記変速クラッチ(40)の接続を解除するクラッチリフタ機構(70)と、
前記クラッチリフタプレート(76)と前記クラッチリフタカム(77)を相対回動させるクラッチ作動機構(90)と、
を備えた変速装置において、
前記クラッチリフタプレート(76)は軸方向の移動を規制され回動可能に支持され、
前記クラッチリフタカム(77)は回動を規制され軸方向にのみ移動可能に支持され、
前記クラッチ作動機構(90)は前記クラッチリフタプレート(76)を回動させることを特徴とする変速装置。
【請求項２】
前記クラッチ作動機構(90)は、前記変速機(M)の変速段を切り換えるシフトスピンドル(91)の回動を前記クラッチリフタプレート(76)の回動に伝達することを特徴とする請求項１記載の変速装置。
【請求項３】
前記クラッチリフタ機構(70)を前記クラッチ軸(Lc)の軸方向外側から覆うケースカバー(6)に軸方向に嵌挿されたアンカーボルト(85)が、前記クラッチリフタカム(77)の係合部(77ee)に係合して前記クラッチリフタカム(77)の回動を規制することを特徴とする請求項１または請求項２記載の変速装置。
【請求項４】
前記クラッチリフタカム(77)は、前記クラッチ軸(Lc)より前記クラッチリフタカム(77)の重心の位置する方向に前記係合部(77ee)が形成され、
前記アンカーボルト(85)は、前記ケースカバー(6)における前記係合部(77ee)が前記クラッチ軸(Lc)の軸方向で対向する部位に形成された嵌挿孔(6h)に嵌挿されることを特徴とする請求項３記載の変速装置。
【請求項５】
前記クラッチリフタカム(77)は、別体のカラー部材(80)を介して前記加圧部材(45)を押圧することを特徴とする請求項１ないし請求項４のいずれか１項記載の変速装置。
【請求項６】
前記カラー部材(80)は、前記クラッチリフタカム(77)の前記クラッチ軸(Lc)を中心軸とするカム円筒軸部(77a)に嵌合するとともに、前記クラッチリフタプレート(76)の前記クラッチ軸(Lc)を中心軸とするプレート円筒軸部(76a)に摺動可能に嵌合することを特徴とする請求項５記載の変速装置。
【請求項７】
前記内燃機関のクランクシャフト(10)に設けられる発進クラッチ(15)は、前記クラッチ軸(Lc)の軸方向で前記クラッチリフタ機構(70)と前記変速クラッチ(40)の間に空間を介して挟まれることを特徴とする請求項１ないし請求項６のいずれか１項記載の変速装置。
【発明の詳細な説明】
【技術分野】
【０００１】
本発明は、変速クラッチを備えた変速装置に関する。
【背景技術】
【０００２】
パワーユニットの内燃機関と一体に構成される変速機に変速クラッチである多板式クラッチが備えられた変速装置には、多板式クラッチの加圧プレートを押圧してクラッチの接続を解除するために、レリーズボールを間に挟んで対向するクラッチリフタプレートとクラッチリフタカムが互いに相対回動することにより、軸方向に移動するクラッチリフタカムが多板式クラッチの加圧プレートを押圧するクラッチリフタ機構を備えた例（例えば、特許文献１参照）がある。
【先行技術文献】
【特許文献】
【０００３】
【特許文献１】特開２０１３−２２８０７９号公報
【０００４】
特許文献１に開示されたクラッチリフタ機構は、固定されたクラッチリフタプレートに対してクラッチリフタカムが相対回動され、レリーズボールを介して同クラッチリフタカムが軸方向に移動して多板式クラッチの加圧プレートを押圧してクラッチの接続を解除している。
【発明の概要】
【発明が解決しようとする課題】
【０００５】
特許文献１に開示されたクラッチリフタ機構では、クラッチリフタカムは回動しながら軸方向に移動して多板式クラッチの加圧プレートを押圧するので、クラッチリフタカムの回動方向と軸方向の２方向の作動により摩擦が大きく、クラッチリフタカムに加わる負荷が増大し、クラッチリフタ機構の円滑な動作が妨げられる場合がある。
【０００６】
本発明は、かかる点に鑑みなされたもので、その目的とする処は、変速クラッチの加圧部材を押圧するクラッチリフタカムを軸方向にのみ移動することで、摩擦を低減してクラッチリフタカムに加わる負荷を軽減し、クラッチリフタ機構を円滑に動作させる変速装置を供する点にある。
【課題を解決するための手段】
【０００７】
上記目的を達成するために、本発明に係る変速装置は、
パワーユニットの内燃機関と一体に構成される変速機に変速クラッチが設けられ、
前記変速クラッチの中心軸であるクラッチ軸上でレリーズボールを間に挟んで対向するクラッチリフタプレートとクラッチリフタカムが互いに相対回動することにより、前記クラッチ軸の軸方向に移動する前記クラッチリフタカムが前記変速クラッチの接続側に加圧する加圧部材を接続側と反対側に押圧して前記変速クラッチの接続を解除するクラッチリフタ機構と、
前記クラッチリフタプレートと前記クラッチリフタカムを相対回動させるクラッチ作動機構と、
を備えた変速装置において、
前記クラッチリフタプレートは軸方向の移動を規制され回動可能に支持され、
前記クラッチリフタカムは回動を規制され軸方向にのみ移動可能に支持され、
前記クラッチ作動機構は、前記クラッチリフタプレートを回動させることを特徴とする。
【０００８】
この構成によれば、クラッチ作動機構がクラッチリフタ機構のクラッチリフタプレートを回動すると、回動を規制され軸方向にのみ移動可能なクラッチリフタカムに対してクラッチリフタプレートが相対回動し、レリーズボールを介してクラッチリフタカムを軸方向にのみ移動して変速クラッチの加圧部材を押圧して変速クラッチの接続を解除する。
クラッチリフタカムは回動を伴わずに軸方向にのみ移動することで、摩擦が大幅に低減されるため、クラッチリフタカムに加わる負荷が軽減され、クラッチリフタ機構が円滑に動作して変速段の切換えが円滑に行われる。
【０００９】
前記構成において、
前記クラッチ作動機構は、前記変速機の変速段を切り換えるシフトスピンドルの回動を前記クラッチリフタプレートの回動に伝達するようにしてもよい。
【００１０】
この構成によれば、変速機の変速段を切り換えるシフトスピンドルの回動をクラッチリフタプレートの回動に伝達するので、変速作動により駆動されるシフトスピンドルの回動が、シフトドラム等を駆動して変速機の変速段の切り換えを行うとともに、連動して変速クラッチの接続解除を行うことができ、簡単な構成で変速段の切換えを円滑に実行することができる。
【００１１】
前記構成において、
前記クラッチリフタ機構を前記クラッチ軸の軸方向外側から覆うケースカバーに軸方向に嵌挿されたアンカーボルトが、前記クラッチリフタカムの係合部に係合して前記クラッチリフタカムの回動を規制するようにしてもよい。
【００１２】
この構成によれば、クラッチリフタ機構をクラッチ軸の軸方向外側から覆うケースカバーに軸方向に嵌挿されたアンカーボルトが、クラッチリフタカムの係合部に係合するようにして、クラッチリフタカムの回動規制を簡単に構成することができる。
【００１３】
前記構成において、
前記クラッチリフタカムは、前記クラッチ軸より前記クラッチリフタカムの重心の位置する方向に前記係合部が形成され、
前記アンカーボルトは、前記ケースカバーにおける前記係合部が前記クラッチ軸の軸方向で対向する部位に形成されたボルト孔に嵌挿されるようにしてもよい。
【００１４】
この構成によれば、クラッチリフタカムは、クラッチ軸よりクラッチリフタカムの重心の位置する方向に係合部が形成されるので、クラッチリフタカムがクラッチ軸に軸支されると、クラッチリフタカムは自重により係合部をクラッチ軸の真下の所定位置に位置させるため、ケースカバーにより係合部を直接目視できなくとも、ケースカバーにおける係合部がクラッチ軸の軸方向で対向する部位に形成されたボルト孔にアンカーボルトを嵌挿することで、アンカーボルトをクラッチリフタカムの係合部に係合することが可能であり、クラッチリフタカムの回動を容易に規制することができ、組付作業性が良い。
【００１５】
前記構成において、
前記クラッチリフタカムは、別体のカラー部材を介して前記加圧部材を押圧するようにしてもよい。
【００１６】
この構成によれば、クラッチリフタ機構の回動を規制され軸方向にのみ移動するクラッチリフタカムが別体のカラー部材を介して変速クラッチの加圧部材を軸方向に押圧するので、クラッチリフタカムの作動性は良好に維持され、かつカラー部材を介装することで変速クラッチに対するクラッチリフタ機構の配置の自由度を大きくすることができる。
【００１７】
前記構成において、
前記カラー部材は、前記クラッチリフタカムの前記クラッチ軸を中心軸とするカム円筒軸部に嵌合するとともに、前記クラッチリフタプレートの前記クラッチ軸を中心軸とするプレート円筒軸部に摺動可能に嵌合するようにしてもよい。
【００１８】
この構成によれば、カラー部材は、クラッチリフタカムのクラッチ軸を中心軸とするカム円筒軸部に嵌合するとともに、クラッチリフタプレートのクラッチ軸を中心軸とするプレート円筒軸部に摺動可能に嵌合するので、クラッチリフタプレートによってカラー部材がクラッチ軸を中心軸とする位置決めがなされて支持され、さらに同カラー部材によってクラッチリフタカムがクラッチ軸を中心軸とする位置決めがなされて支持されるため、簡単な構造で、カラー部材とクラッチリフタカムをクラッチ軸上に同軸に支持することができる。
【００１９】
前記構成において、
前記内燃機関のクランクシャフトに設けられる発進クラッチは、前記クラッチ軸の軸方向で前記クラッチリフタ機構と前記変速クラッチの間に空間を介して挟まれるようにしてもよい。
【００２０】
この構成によれば、クランクシャフトに設けられる発進クラッチが、クラッチ軸の軸方向でクラッチリフタ機構と変速クラッチの間に空間を介して挟まれるので、クランクシャフトに変速クラッチを近づけることができ、よって変速機もクランクシャフトに近づけて配置することができ、パワーユニットの小型化を図ることができる。
【発明の効果】
【００２１】
本発明は、クラッチリフタ機構のクラッチリフタカムは回動を規制され軸方向にのみ移動可能に支持され、クラッチリフタプレートは軸方向の移動を規制され回動可能に支持され、クラッチ作動機構はクラッチリフタプレートを回動させるので、クラッチ作動機構がクラッチリフタ機構のクラッチリフタプレートを回動すると、回動を規制され軸方向にのみ移動可能なクラッチリフタカムに対してクラッチリフタプレートが相対回動し、レリーズボールを介してクラッチリフタカムを軸方向にのみ移動して変速クラッチの加圧部材を押圧して変速クラッチの接続を解除する。
クラッチリフタカムは回動を伴わずに軸方向にのみ移動することで、摩擦が大幅に低減されるため、クラッチリフタカムに加わる負荷が軽減され、クラッチリフタ機構が円滑に動作して変速段の切換えが円滑に行われる。
【図面の簡単な説明】
【００２２】
【図１】本発明の一実施の形態に係るパワーユニットの正面図である。
【図２】同パワーユニットのギアケース等を外した要部正面図である。
【図３】同パワーユニットの前ケースカバーを外した要部正面図である。
【図４】図１および図３におけるＩＶ−ＩＶ線断面および図３のＩＶ´−ＩＶ´線断面を示す断面図である。
【図５】図４の要部拡大断面図である。
【図６】図２におけるＶＩ−ＶＩ線断面を示す断面図である。
【発明を実施するための形態】
【００２３】
以下、本発明に係る一実施の形態について図１ないし図６に基づいて説明する。
本実施の形態に係る変速装置Ａは、内燃機関Ｅと一体に変速機Ｍが構成されるパワーユニットＰに設けられており、該パワーユニットＰは、内燃機関Ｅのクランクシャフト10を車両の前後方向に指向させて縦置きに四輪バギー等の不整地走行用車両（図示せず）に搭載されるものである。
なお、本明細書の説明において、前後左右の向きは、本実施の形態に係る車両の直進方向を前方とする通常の基準に従うものとし、図面において、ＦＲは前方を，ＲＲは後方を、ＬＨは左方を，ＲＨは右方を示すものとする。
【００２４】
図１は、本発明を適用した一実施の形態に係るパワーユニットＰの正面図である。
クランクケース２の上面のクランクシャフト10の位置する右寄りからシリンダブロック３が斜め上方に突設され、同シリンダブロック３の上にシリンダヘッド４が重ねられて一体に締結され、シリンダヘッド４の上にはシリンダヘッドカバー５が被せられている。
【００２５】
図４のパワーユニットＰの断面図（図１の正面図においてＩＶ−ＩＶ線断面図）を参照して、  シリンダブロック３からシリンダスリーブ３ｃがクランクケース２に嵌入しており、同シリンダスリーブ３ａに摺動自在にピストン12が嵌合している。
クランクシャフト10の前後一対のクランクウエブ10ｗ，10ｗ間に架設されたクランクピン10ｐと前記ピストン12に設けられたピストンピン12ｐとの間をコネクティングロッド13が連結している。
【００２６】
内燃機関Ｅは、水冷式単気筒の４ストローク内燃機関であり、シリンダブロック３の上に重ね合わされて締結されるシリンダヘッド４に、図示されないが吸排気ポートとともに動弁機構が設けられている。
内燃機関Ｅの車両の前後方向に指向させたクランクシャフト10は、図４に示されるように、クランクウエブ10ｗ，10ｗの前後で、前後割りのクランクケース２の前クランクケース２Ｆと後クランクケース２Ｒに主軸受11ｆ，11ｒを介して回転自在に軸支されている。
【００２７】
前クランクケース２Ｆには、前方から前ケースカバー６が覆い結合されて、前クランクケース２Ｆとの間に前収納室６ｓが形成される。
前クランクケース２Ｆに保持される主軸受11ｆから前方へ前収納室６ｓに延出するクランクシャフト10の前端部は、軸受11ｚを介して前ケースカバー６に回転自在に支持される。
【００２８】
前収納室６ｓ内のクランクシャフト10には、前端部の近傍に発進クラッチ15が設けられている。
発進クラッチ15は、遠心式のクラッチであり、クラッチインナ15ｉがクランクシャフト10の前端近傍にインナボス部15ibを介して固着され、クラッチインナ15ｉの外周と側方を覆うクラッチアウタ15ｏは、インナボス部15ibにワンウエイクラッチ16を介して回転自在に軸支されるアウタボス部15obに支持されている。
アウタボス部15obは、クランクシャフト10に回転自在に嵌合する円筒部材17の前端部にセレーション嵌合して支持され、円筒部材17の後端部にはプライマリドライブギア18が形成されている。
【００２９】
発進クラッチ15は、クラッチインナ15ｉがクランクシャフト10と一体に回転すると、遠心力によりクラッチシュー15ｓ（図３参照）が揺動し、クランクシャフト10の回転速度が上昇するに従いクラッチシュー15ｓはクラッチアウタ15ｏの内周面に摺接してクラッチアウタ15ｏを連れ回りし半クラッチ状態とし、さらに回転速度が上昇すると、クラッチシュー15ｓはクラッチアウタ15ｏと一体となって回転して発進クラッチ15が接続される。
発進クラッチ15のクラッチアウタ15ｏの回転は、円筒部材17のプライマリドライブギア18から変速機M側に伝達される。
【００３０】
また、クランクシャフト10のプライマリドライブギア18と主軸受11ｆとの間には、駆動スプロケット19が形成されている。
駆動スプロケット19は、図３に示される動弁駆動用のカム軸21に嵌着された被動スプロケット21ｓとの間にチェーン22が架渡されて、チェーン22を介して動弁系を駆動する。
【００３１】
また、カム軸21の前方には、同軸で駆動される水ポンプ23が前ケースカバー６に設けられている（図２参照）。
図２に示されるように、前ケースカバー６の右上方に形成された水ポンプボディ部23ｂ内に、ポンプ駆動軸23ａにインペラ23ｉが嵌着されて水ポンプ23が構成されており、ポンプ駆動軸23ａがカム軸21に同軸に連結されている。
したがって、クランクシャフト10の回転がチェーン22を介して動弁系を駆動するとともに水ポンプ23も駆動する。
【００３２】
一方で、後クランクケース２Ｒには、後方から後ケースカバー７が覆い結合されて、後クランクケース２Ｒとの間に後収納室７ｓが形成されている。
後クランクケース２Ｒに保持される主軸受11ｒから後方へ後収納室７ｓに延出するクランクシャフト10には、ＡＣジェネレータ20等が設けられる。
ＡＣジェネレータ20は、アウタロータ20ｏがクランクシャフト10の後端部に嵌合され、アウタロータ20ｏに外周を覆われるインナステータ20ｉが後ケースカバー７に支持されている。
【００３３】
図４を参照して、クランクシャフト10の後収納室７ｓ内の後部には、ＡＣジェネレータ20の前方に回転自在に軸支されたギアボス部27ｂにスタータドリブンギア27が嵌着支持されており、後ケースカバー７の後面上部に突設されるスタータモータ25の駆動軸25ａの回転が減速ギア機構26を介してスタータドリブンギア27に伝達される。
【００３４】
スタータドリブンギア27と一体のギアボス部27ｂとＡＣジェネレータ20のアウタロータ20ｏとの間にワンウエイクラッチ28が介装されている。
スタータモータ25の駆動により、減速ギア機構26，スタータドリブンギア27，ワンウエイクラッチ28，アウタロータ20ｏを介してクランクシャフト10が強制的に回転されて内燃機関Ｅを始動することができる。
【００３５】
内燃機関Ｅのクランクシャフト10を軸支するクランクケース２には、クランクシャフト10の左側に内燃機関Ｅと一体に変速機Ｍが収容されてパワーユニットＰが構成されている。
図３および図４を参照して、変速機Ｍのメインシャフト31は、クランクシャフト10の左側ＬＨの斜め上方にクランクシャフト3と平行に配置され、前クランクケース２Ｆと後クランクケース２Ｒに軸受32，32を介して回転自在に軸支されている。
【００３６】
変速機Ｍのメインシャフト31と平行なカウンタシャフト33は、メインシャフト31のさらに左側ＬＨの斜め下方に配置され、前クランクケース２Ｆと後クランクケース２Ｒに軸受34，34を介して回転自在に軸支されている。
【００３７】
メインシャフト31に軸支される変速駆動歯車群31ｇとカウンタシャフト33に軸支される変速被動歯車群33ｇとが、互いに対をなして変速段を構成する歯車どうしが噛合して常時噛合い式の変速機Ｍを構成している。
常時噛合い式の変速機Ｍは、メインシャフト31とカウンタシャフト33に軸方向に摺動自在に軸支されたシフタが変速歯車に係脱することで、変速段が確立する。
【００３８】
カウンタシャフト33の下方で僅かに右寄りに出力シャフト35が配置され（図３参照）、同出力シャフト35は前クランクケース２Ｆと後クランクケース２Ｒに軸受36，36を介して回転自在に軸支されている（図４参照）。
図４に示されるように、カウンタシャフト33のクランク室から後方へ後収納室７ｓに突出した後端には減速駆動ギア33ｒが嵌着され、カウンタシャフト33と平行に配設された出力シャフト35に嵌着された減速従動ギア35ｒが減速駆動ギア33ｒと噛合して、減速された動力が出力シャフト35に伝達されるようになっている。
【００３９】
出力シャフト35は、前後に延びて前ケースカバー６および後ケースカバー７を貫通して外部に突出しており（図４参照）、前後両端の回転がそれぞれドライブシャフト等を介して前輪と後輪の駆動に供される。
【００４０】
メインシャフト31の前クランクケース半体２Ｆに保持される軸受32より前方へ前収納室６ｓに延出する前端部には、変速クラッチ40が設けられている。
変速クラッチ40は、多板式クラッチである。
図５を参照して、多板式クラッチ40のクラッチアウタ41は、その円筒状のアウタボス部41ｂがメインシャフト31の前端部にスリーブ51を介して回転自在に嵌合している。
【００４１】
クラッチアウタ41のアウタボス部41ｂには、プライマリドリブンギア38が外嵌され、プライマリドリブンギア38とクラッチアウタ41との間に周方向に伸縮するダンパスプリング39が周方向に介装されている。
プライマリドリブンギア38は、クランクシャフト10に回転自在に嵌合された円筒部材17のプライマリドライブギア18と噛合している。
【００４２】
多板式クラッチ40のクラッチインナ42は、その後方に延出した円筒状のインナボス部42ｂがメインシャフト31にスプライン嵌合してクラッチアウタ41を回転自在に軸支するスリーブ51との間に環状板部材52を挟んでいる。
メインシャフト31の先端部には雄ねじが刻設されており、ナット54を螺合してワッシャ53を介して締め付けると、インナボス部42ｂとスリーブ51が軸受32のインナレースとともに緊締されてメインシャフト31に固定される。
すなわち、クラッチインナ42は変速機Ｍのメインシャフト31に対して固定され、メインシャフト31と一体に回転する。
【００４３】
クラッチアウタ41には摩擦板43が、クラッチインナ42にはクラッチ板44が、それぞれ複数個づつ軸方向に摺動可能に保持され、交互に重なった状態で配置されている。
摩擦板43はクラッチアウタ41に対して相対回転不可能に保持され、クラッチ板44はクラッチインナ11に対して相対回転不可能に保持されている。
【００４４】
そして、クラッチインナ42の後方に延出したインナボス部42ｂの外周に加圧プレート45が軸方向に摺動可能に取りつけられている。
この多板式クラッチ40では、交互に重ねて配置された摩擦板43とクラッチ板44は、加圧プレート45の外周の加圧部45ｐとクラッチインナ42の外周の受圧部42ｐとの間に挟まれている。
【００４５】
加圧プレート45には周方向等間隔に６本の円筒突出部45ｓが前方（図５における左方）に向け突出して設けられ、クラッチインナ42に設けられた６つの貫通孔にそれぞれ挿通されて前方に突出している。
したがって、クラッチインナ42と加圧プレート45は、互いに相対回転はできず、メインシャフト31の周りを一緒に回転する。
【００４６】
加圧プレート45の加圧部45ｐより内周の後面には、円環板状の環状リテーナ46が添接されて止め輪47で抜け止めされ、クラッチインナ42のインナボス部42ｂの外周面の周方向溝に止め輪48が係合されており、環状リテーナ46と止め輪48との間に皿ばね型のクラッチスプリング49が介装されている。
【００４７】
したがって、クラッチスプリング49は、クラッチインナ42に対して加圧プレート45を前方に付勢してクラッチインナ42の受圧部42ｐに加圧プレート45の加圧部45ｐを近づけるので、両者間の摩擦板43とクラッチ板44を挟み込んで、挟圧による摩擦で多板式クラッチ40は接続する。
【００４８】
加圧プレート45のクラッチインナ42の貫通孔を挿通した６本の円筒突出部45ｓの前部にそれぞれ嵌合する円筒部55ｓを環状に連結した環状連結部材55と、環状連結部材55の６本の円筒部55ｓの前端にそれぞれ嵌合する円孔56ｓが周方向に６つ形成された円環状プレート56とを備え、加圧プレート45の６本の円筒突出部45ｓに環状連結部材55の円筒部55ｓを嵌め、次いで、環状連結部材55の円筒部55ｓに円環状プレート56の円孔56ｓの順に嵌め込む。
そして、加圧プレート45の各円筒突出部45ｓの内周面に形成された雌ねじにワッシャ57を介してボルト58をそれぞれ螺合して、加圧プレート45の６本の円筒突出部45ｓの前部に環状連結部材55と円環状プレート56を取り付け、６本の円筒突出部45ｓを前端で連結する。
【００４９】
環状連結部材55の外周部とクラッチインナ42の受圧部42ｐの外周部との間に皿ばね61が介装され、円環状プレート56の内周部とクラッチインナ42のインナボス部42ｂとの間にコイルスプリング62が介装されている。
【００５０】
円環状プレート56がコイルスプリング62の付勢力に抗して後方に移動されると、環状連結部材55が後方に押されて皿ばね60の付勢力に抗して後方に移動し、環状連結部材55と円筒突出部45ｓの嵌合を介して加圧プレート45がクラッチインナ42に対して後方に移動して、クラッチインナ42の受圧部42ｐから加圧プレート45の加圧部45ｐを遠ざけるので、両者間の摩擦板43とクラッチ板44の摩擦を低減して、多板式クラッチ40の接続は解除される。
【００５１】
円環状プレート56に作用して加圧プレート45を後方に押圧して多板式クラッチ40の接続を解除するクラッチリフタ機構70が、多板式クラッチ40の前方に設けられている。
多板式クラッチ40の中心軸（メインシャフト31の中心軸と同軸）をクラッチ軸Ｌｃとする。
【００５２】
図５を参照して、多板式クラッチ40を前方から覆う前ケースカバー６におけるメインシャフト31の前方の部位に、メインシャフト31の前方に突出するねじ孔ボス部６ａと後方に円筒状に突出する支持ボス部６ｂがメインシャフト31と同軸のクラッチ軸Ｌｃ上に形成されている。
【００５３】
ねじ孔ボス部６ａには、ねじ71がクラッチ軸Ｌｃ上で進退自在に螺入し、ねじ71の前方に突出した部分にワッシャ73を介してナット72が螺合してねじ71を位置決めする。
支持ボス部６ｂには、支持軸部材74の大径基端部74ａがクラッチ軸Ｌｃ上で嵌挿され、支持軸部材74は大径基端部74ａより後方に小径支軸部74ｂが突出している。
ねじ孔ボス部６ａに螺入されナット72により位置決めされたねじ71の後端面に、支持軸部材74の大径基端部74ａが後方から接して支持軸部材74の前方への移動が規制されて支持軸部材74の位置決めがなされる。
【００５４】
支持軸部材74の小径支軸部74ｂにクラッチリフタプレート76のプレート円筒軸部76ａが回動自在に嵌合されてクラッチリフタプレート76がクラッチ軸Ｌｃ上で軸支される。
図３および図５を参照して、クラッチリフタプレート76は、円板状部76ｂの中央にプレート円筒軸部76ａが長尺に突出して形成されており、支持軸部材74の大径基端部74ａと円板状部76ｂとの間にスラストころ軸受75を介装して支持軸部材74の小径支軸部74ｂに回動自在に軸支される。
クラッチリフタプレート76のプレート円筒軸部76ａは支持軸部材74の小径支軸部74ｂよりも後方に大きく延出している（図５参照）。
【００５５】
クラッチリフタプレート76の円板状部76ｂの後面には周方向に凹部と凸部が交互に形成されたカム面76ｃが形成されている。
また、クラッチリフタプレート76の円板状部76ｂは、外縁の一部が遠心方向に延出した延出連結部76ｅが形成されている（図３参照）。
延出連結部76ｅには連結円筒部76eeが形成されている。
【００５６】
クラッチリフタプレート76の円板状部76ｂの後面に対向してクラッチリフタカム77が設けられる。
図３および図５を参照して、クラッチリフタカム77は、円板状部77ｂの中央にカム円筒軸部77ａが短尺に突出して形成されており、同カム円筒軸部77ａがクラッチリフタプレート76のプレート円筒軸部76ａに摺動自在に嵌合してクラッチ軸Ｌｃ上で軸支され、クラッチリフタプレート76とクラッチリフタカム77は、クラッチ軸Ｌｃ上で互いに相対回動する。
【００５７】
クラッチリフタカム77の円板状部77ｂは、クラッチリフタプレート76の円板状部76ｂに対向し、クラッチリフタカム77の円板状部77ｂの前面にはクラッチリフタプレート76の円板状部76ｂの後面のカム面に対向して周方向に凹部と凸部が交互に形成されたカム面77ｃが形成されている。
クラッチリフタカム77の円板状部77ｂは、一部が遠心方向に延出した延出廻止め部77ｅが形成され、延出廻止め部77ｅには、係合凹部77eeが形成されている（図３参照）。
【００５８】
クラッチリフタプレート76とクラッチリフタカム77との間に、ボールリテーナ79により支持された３個のレリーズボール78が挟まれる。
ボールリテーナ79は、ほぼ正三角形状をなす２枚のプレートを重ね合わせて構成され、その３つの角部にそれぞれレリーズボール78を回転自在に保持するもので、中央部をクラッチリフタプレート76のプレート円筒軸部76ａに嵌合されてプレート円筒軸部76ａに軸支される。
【００５９】
クラッチリフタプレート76のプレート円筒軸部76ａに、３個のレリーズボール78を保持したボールリテーナ79が嵌合して軸支されるとともに、クラッチリフタカム77が摺動自在に嵌合して軸支されることで、クラッチリフタプレート76の円板状部76ｂの後面のカム面76ｃとクラッチリフタカム77の円板状部77ｂの前面のカム面77ｃとの間にレリーズボール78が挟まれる。
【００６０】
クラッチリフタプレート76のプレート円筒軸部76ａに摺動自在に軸支されるクラッチリフタカム77は、円板状部77ｂに延出形成された延出廻止め部77ｅにより重心がプレート円筒軸部76ａより延出廻止め部77ｅがある側に位置するので、クラッチリフタカム77は自重により延出廻止め部77ｅを下方に向けた姿勢で軸支される（図３参照）。
【００６１】
そこで、クラッチリフタカム77のプレート円筒軸部76ａの中心軸（クラッチ軸Ｌｃ）より下方に安定して位置する延出廻止め部77ｅの係合凹部77eeが対向する前ケースカバー６の部位に、雌ねじのボルト孔６ｈが形成されており（図２参照）、同ボルト孔６ｈにアンカーボルト85を前方から螺入すると、前ケースカバー６を貫通して後方に突出したアンカーボルト85の後端部が、クラッチリフタカム77の自重により下方に延出した延出廻止め部77ｅの係合凹部77eeに係合する（図３，図５参照）。
【００６２】
図２に示されるように、前ケースカバー６により係合凹部77eeを直接目視できなくとも前ケースカバー６のクラッチ軸Ｌｃの真下の所定位置に形成されたボルト孔６ｈにアンカーボルト85を螺入し嵌挿することで、クラッチリフタカム77の係合凹部77eeに自ずと係合することができ、組付作業性が良い。
このようにクラッチリフタプレート76のプレート円筒軸部76ａに摺動自在に軸支されるクラッチリフタカム77は、アンカーボルト85により回動が規制され、軸方向の移動のみが可能となる。
【００６３】
クラッチリフタ機構70は、以上のように構成されており、レリーズボール78を間に挟んで対向するクラッチリフタプレート76とクラッチリフタカム77は、一方の回動自在なクラッチリフタプレート76が他方の回動を規制されたクラッチリフタカム77に対して軸方向位置を維持したまま相対回転する。
【００６４】
本クラッチリフタ機構70は、レリーズボール78がクラッチリフタプレート76のカム面76ｃの凹部とクラッチリフタカム77のカム面77ｃの凹部の双方に入り込んでいるときが、クラッチリフタプレート76にクラッチリフタカム77が最も近づいて最も前方に位置しているときであり、この状態からクラッチリフタプレート76がクラッチリフタカム77に対して相対回動すると、レリーズボール78が前側のカム面76ｃの凸部と後側のカム面77ｃの凸部に転動しながら乗り上げることで、クラッチリフタプレート76からクラッチリフタカム77が離れる。
すなわち、クラッチリフタプレート76が回動すると、クラッチリフタカム77は後方に移動する。
【００６５】
このクラッチ軸Ｌｃ上を軸方向に移動するクラッチリフタカム77のカム円筒軸部77ａとカム円筒軸部77ａより後方に延出するクラッチリフタプレート76のプレート円筒軸部76ａの双方に外嵌する円筒カラー部材80が設けられている。
円筒カラー部材80は、クラッチリフタプレート76のプレート円筒軸部76ａに摺動自在に嵌合し、前端部80ａの若干拡径した内周面がクラッチリフタカム77のカム円筒軸部77ａに嵌合している。
円筒カラー部材80は、前端面がクラッチリフタカム77の円板状部77ｂに当接して、クラッチリフタプレート76のプレート円筒軸部76ａより後方に延びている。
【００６６】
円筒カラー部材80の後方に延びた後部の縮径された後端部80ｂと前記多板式クラッチ40の前方に取り付けられた円環状プレート56の内周縁部との間に軸受81が係合部材82とともに介装されている。
軸受81は、インナレースが円筒カラー部材80の縮径された後端部80ｂに嵌合し、アウタレースが係合部材82の円筒部と内側に延出した後側係合片に嵌合している。
円環状プレート56の内周縁部は、係合部材82は円筒部と外側に延出した前側係合片に嵌合している。
【００６７】
多板式クラッチ40のクラッチインナ42と円環状プレート56との間に介装されたコイルスプリング62により円環状プレート56は前方に付勢されているので、係合部材82と軸受81を介して円筒カラー部材80とともにクラッチリフタカム77が前方に付勢されている。
【００６８】
図４および図５に示されるように、円筒カラー部材80は長尺であり、円筒カラー部材80と軸方向位置（前後方向位置）を同じくして前記発進クラッチ15が位置し、発進クラッチ15は、クラッチリフタ機構70と多板式クラッチ40との間に空間を介して挟まれている。
【００６９】
図５は、加圧プレート45が前方に位置してクラッチインナ42との間に摩擦板43とクラッチ板44を挟圧して多板式クラッチ40が接続状態にあるときを実線で示しており、このときクラッチリフタ機構70は、レリーズボール78がクラッチリフタプレート76のカム面76ｃの凹部とクラッチリフタカム77のカム面77ｃの凹部の双方に入り込んでクラッチリフタカム77がコイルスプリング62の付勢力により最も前方に位置している。
なお、クラッチリフタ機構70の前後位置は、ねじ71とナット72の螺合により支持軸部材74，スラストころ軸受75を介して調節することができる。
【００７０】
この状態からクラッチリフタ機構70のクラッチリフタプレート76が回動すると、図５に２点鎖線で示されるように、レリーズボール78が前側のカム面76ｃの凸部と後側のカム面77ｃの凸部に転動しながら乗り上げて、クラッチリフタカム77がコイルスプリング62の付勢力に抗して後方に移動するので、クラッチリフタカム77とともに円筒カラー部材80，軸受81，円環状プレート56，環状連結部材55を介して加圧プレート45が後方に移動して、多板式クラッチ40の接続を解除する。
【００７１】
クラッチリフタ機構70の回動を規制され軸方向にのみ移動するクラッチリフタカム77が別体の円筒カラー部材80を介して多板式クラッチ40の加圧プレート45を軸方向後方に押圧するので、クラッチリフタカム77の作動性は良好に維持され、かつ円筒カラー部材80を介装することで、多板式クラッチ40に対するクラッチリフタ機構70の配置の自由度が大きい。
【００７２】
したがって、図５に示されるように、クラッチリフタ機構70を前ケースカバー６に近づけて配置することができるため、前ケースカバー６に螺合し貫通してクラッチリフタカム77の係合凹部77eeに係合してクラッチリフタカム77の回動を規制するアンカーボルト85も短くてすみ、組付作業性をより一層良くしている。
【００７３】
多板式クラッチ40の接続を解除するために、クラッチリフタ機構70のクラッチリフタプレート76を回動するクラッチ作動機構90は、変速機Ｍの変速段を切り換えるシフトスピンドル91の回動を利用している。
図３を参照して、クラッチリフタ機構70の右方最外側位置70Ｒと左方最外側位置70Ｌとの間の水平方向幅をＷとすると、図３に示されるように、シフトスピンドル91は、メインシャフト31の下方、すなわちクラッチ軸Ｌｃの下方であって、クラッチ軸Ｌｃの軸方向視（図３）でクラッチリフタ機構70の水平方向幅Ｗ内に配置されている。
【００７４】
図６に示されるように、シフトスピンドル91は、前クランクケース２Ｆと後クランクケース２Ｒに回動自在に軸支され、前クランクケース２Ｆより前方へ前収納室６ｓに延出して前ケースカバー６を貫通している。
【００７５】
このシフトスピンドル91の前ケースカバー６の裏面（後面）に沿った部位にクラッチアーム92が取り付けられている。
クラッチアーム92は、基端部がシフトスピンドル91に嵌着されて右側ＲＨに延出して設けられている（図３参照）。
【００７６】
したがって、図３に示されるように、クラッチアーム92は、クラッチ軸Ｌｃとシフトスピンドル91の中心軸を含む平面Ｓに関してパワーユニットＰの出力シャフト35のある側（左側ＬＨ）と反対側（右側ＲＨ）に延出している。
クラッチアーム92の延出した先端の延出連結部92ｅに連結孔92eeが形成されている（図６参照）。
【００７７】
図３に示されるように、クラッチリフタ機構70のクラッチリフタプレート76は、円板状部76ｂの延出連結部76ｅがクラッチアーム92の延出方向と平行な方向に延出しており、このクラッチリフタプレート76の延出連結部76ｅと下方のクラッチアーム92の延出連結部92ｅとをリンクロッド95が連結する。
【００７８】
図３に示されるように、リンクロッド95はほぼ上下方向に指向しており、リンクロッド95の上端部にボルト96ｂにより螺着され後方に突設された連結ピン96が、クラッチリフタプレート76の延出連結部76ｅの連結円筒部76eeに軸受97を介して回転自在に軸支され（図５参照）、他方、リンクロッド95の下端部にボルト93ｂにより螺着され後方に突設された連結ピン93が、クラッチアーム92の延出連結部92ｅの連結孔92eeに軸受94を介して回転自在に軸支される（図６参照）。
【００７９】
図３を参照して、クラッチ作動機構90は、クラッチ軸Ｌｃを中心に回動するクラッチリフタプレート76の延出連結部76ｅとシフトスピンドル91に嵌着されたクラッチアーム92の延出連結部92ｅとをそれぞれ連結ピン96と連結ピン93とを介してリンクロッド95が連結して構成されている。
本クラッチ作動機構90のクラッチ軸Ｌｃ，シフトスピンドル91，連結ピン93，連結ピン96は、平行四辺形の頂点に位置しており、したがって、クラッチ作動機構90は、４節平行リンク機構を構成している。
【００８０】
したがって、シフトスピンドル91が回動すると、リンクロッド95を介してクラッチリフタプレート76が同じ角度回動する。
そして、クラッチリフタプレート76の回動は、前記クラッチリフタ機構70によりクラッチリフタカム77を後方に移動して多板式クラッチ40の加圧プレート45を押圧することで、加圧プレート45が後方に移動して多板式クラッチ40の接続を解除することになる。
【００８１】
図３に示されるように、リンクロッド95は、クラッチ軸Ｌｃの軸方向視でクラッチ軸Ｌｃとクランクシャフト10との間に位置している。
また、リンクロッド95は、クラッチ軸Ｌｃの軸方向視（図３）でクランクシャフト10に設けられる発進クラッチ15と重なる。
【００８２】
本シフトスピンドル91は、変速用モータ100により駆動される。
クランクケース２の前方を覆う前ケースカバー６には、左右幅方向の中央下半部に減速ギア機構101を収納するギア収納部６ｃが前方に開口して形成されており（図２参照）、図１に示されるように、ギア収納部６ｃを前方からギアカバー８が覆っており、ギアカバー８に変速用モータ100が取り付けられている。
【００８３】
図２および図６を参照して、変速用モータ100の駆動軸100ａとシフトスピンドル91に嵌着されたギアシフトアーム104との間に中間軸102，103に軸支された減速ギア102ａ、102ｂ、103ａ，103ｂのギア列が介装されて減速ギア機構101が構成されている。
変速用モータ100の駆動軸100ａの回動は、減速ギア機構101の減速ギア102ａ、102ｂ、103ａ，103ｂのギア列を介して減速されてギアシフトアーム104と一体にシフトスピンドル91を回動する。
【００８４】
図６を参照して、シフトスピンドル91の回動は、間欠送り機構105を介してシフトドラム115を所要角度回動する。
シフトドラム115の外周面に形成された３本のリード溝に、シフトフォークシャフト111に摺動自在に支持されたシフトフォーク112ａ，112ｂ，112ｃの各シフトピンが摺動自在に嵌合しており、シフトドラム115の回動によりシフト溝にガイドされて軸方向に移動するシフトフォーク112ａがメインシャフト31上のシフタを移動させ、シフトフォーク112ｂ，112ｃがカウンタシャフト33上のシフタを移動させて有効に動力伝達する互いに噛み合うギア対を変更して変速段の切換えを行う。
【００８５】
以上の変速段の切換え時に回動するシフトスピンドル91の前ケースカバー６の後面に沿った位置に、前記クラッチ作動機構90のクラッチアーム92が嵌着されている（図６参照）。
したがって、変速用モータ100が駆動され、シフトスピンドル91が回動すると、間欠送り機構105を介してシフトドラム115等を駆動して変速機Ｍの変速段の切り換えが行われるとともに、クラッチ作動機構90を介してクラッチリフタ機構70が作動して多板式クラッチ40の接続が解除される。
【００８６】
図２を参照して、クラッチ作動機構90のクラッチアーム92は、前記したように、クラッチ軸Ｌｃとシフトスピンドル91の中心軸を含む平面Ｓに関してパワーユニットＰの出力シャフト35のある側（左側ＬＨ）と反対側（右側ＲＨ）に延出しており（図３参照）、よって、クラッチアーム92は、図２に示すクラッチ軸Ｌｃの軸方向視で、変速用モータ100の駆動をシフトスピンドル91に伝達する減速ギア機構101と重なる。
【００８７】
以上、詳細に説明した本発明に係る変速装置Ａの一実施の形態では、以下に記す効果を奏する。
図５を参照して、クラッチリフタ機構70のクラッチリフタプレート76は軸方向の移動を規制され回動可能に支持され、クラッチリフタカム77は回動を規制され軸方向にのみ移動可能に支持され、クラッチ作動機構90はクラッチリフタプレート76を回動させるので、クラッチ作動機構90がクラッチリフタ機構70のクラッチリフタプレート76を回動すると、回動を規制され軸方向にのみ移動可能なクラッチリフタカム77に対してクラッチリフタプレート76が相対回動し、レリーズボール78を介してクラッチリフタカム77を軸方向にのみ移動して多板式クラッチ40の加圧プレート45を押圧して多板式クラッチ40の接続を解除する。
したがって、クラッチリフタカム77は回動を伴わずに軸方向にのみ移動することで、摩擦が大幅に低減されるため、クラッチリフタカム77に加わる負荷が軽減され、クラッチリフタ機構70が円滑に動作して変速段の切換えが円滑に行われる。
【００８８】
図３および図６に示されるように、変速機Ｍの変速段を切り換えるシフトスピンドル91の回動をクラッチリフタ機構70のクラッチリフタプレート76の回動に伝達するので、変速作動により駆動されるシフトスピンドル91の回動が、シフトドラム115等を駆動して変速機Ｍの変速段の切り換えを行うとともに、同時に多板式クラッチ40の接続解除を行うことができ、簡単な構成で変速段の切換えを円滑に実行することができる。
【００８９】
図３および図５に示されるように、クラッチリフタ機構70をクラッチ軸Ｌｃの軸方向外側から覆う前ケースカバー６に軸方向に嵌挿されたアンカーボルト85が、クラッチリフタ機構70のクラッチリフタカム77の係合凹部77eeに係合するようにして、クラッチリフタカム77の回動規制を簡単に構成することができる。
【００９０】
図５に示されるように、クラッチリフタ機構70のクラッチリフタカム77は、クラッチ軸Ｌｃよりクラッチリフタカム77の重心の位置する方向に係合凹部77eeが形成されるので、クラッチリフタカム77がクラッチ軸Ｌｃに軸支されると、クラッチリフタカム77は自重により係合凹部77eeをクラッチ軸Ｌｃの真下に位置させるため、ケースカバー６により係合凹部77eeを直接目視できなくとも、ケースカバー６における係合凹部77eeがクラッチ軸Ｌｃの軸方向で対向する部位に形成された雌ねじ孔（ボルト孔）６ｈにアンカーボルト85を螺合し嵌挿することで、クラッチリフタカム77の係合凹部77eeに係合することが可能であり、クラッチリフタカム77の回動を容易に規制することができ、組付作業性が良い。
【００９１】
図５に示されるように、クラッチリフタ機構70の回動を規制され軸方向にのみ移動するクラッチリフタカム77が、別体の円筒カラー部材80を介して多板式クラッチ40の加圧プレート45を軸方向に押圧するので、クラッチリフタカム77の作動性は良好に維持され、かつ円筒カラー部材80を介装することで、多板式クラッチ40に対するクラッチリフタ機構70の配置の自由度を大きくすることができる。
【００９２】
図５に示されるように、円筒カラー部材80は、クラッチリフタカム77のクラッチ軸Ｌｃを中心軸とするカム円筒軸部77ａに嵌合するとともに、クラッチリフタプレート76のクラッチ軸Ｌｃを中心軸とするプレート円筒軸部76ａに摺動可能に嵌合するので、クラッチリフタプレート76によって円筒カラー部材80がクラッチ軸Ｌｃを中心軸とする位置決めがなされて支持され、さらに同円筒カラー部材80によってクラッチリフタカム77がクラッチ軸Ｌｃを中心軸とする位置決めがなされて支持されるため、簡単な構造で、円筒カラー部材80とクラッチリフタカム77をクラッチ軸Ｌｃ上に同軸に支持することができる。
【００９３】
図３および図５に示されるように、クランクシャフト10に設けられる発進クラッチ15が、クラッチ軸Ｌｃの軸方向でクラッチリフタ機構70と変速クラッチ40の間に空間を介して挟まれるので、クランクシャフト10に変速クラッチ40を近づけることができ、よって変速機Ｍもクランクシャフト10に近づけて配置することができ、パワーユニットＰの小型化を図ることができる。
【００９４】
以上、本発明に係る一実施の形態に係る変速装置について説明したが、本発明の態様は、上記実施の形態に限定されず、本発明の要旨の範囲で、多様な態様で実施されるものを含むものである。
【符号の説明】
【００９５】
Ｐ…パワーユニット、Ｅ…内燃機関、Ａ…変速装置、Ｍ…変速機、Ｌｃ…クラッチ軸、
１…、２…クランクケース、２Ｆ…前クランクケース、２Ｒ…後クランクケース、３…シリンダブロック、６…前ケースカバー、７…後ケースカバー、８…ギアカバー、
10…クランクシャフト、15…発進クラッチ（遠心クラッチ）、18…プライマリドライブギア、20…ＡＣジェネレータ、25…スタータモータ、31…メインシャフト、33…カウンタシャフト、35…出力シャフト、38…プライマリドリブンギア、
40…多板式クラッチ（変速クラッチ）、41…クラッチアウタ、42…クラッチインナ、43…摩擦板、44…クラッチ板、45…加圧プレート、46…円環状リテーナ、49…クラッチスプリング、55…環状連結部材、56…円環状プレート、58…ボルト、61…皿ばね、62…コイルスプリング、
70…クラッチリフタ機構、71…ねじ、72…ナット、74…支持軸部材、76…クラッチリフタプレート、76ａ…プレート円筒軸部、76ｅ…延出連結部、77…クラッチリフタカム、77ａ…カム円筒軸部、77ee…係合凹部、78…レリーズボール、79…ボールリテーナ、
80…円筒カラー部材、81…軸受、82…係合部材、85…アンカーボルト、
90…クラッチ作動機構、91…シフトスピンドル、92…クラッチアーム、93…連結ピン、94…軸受、95…リンクロッド、96…連結ピン、
100…変速用モータ、101…減速ギア機構、105…間欠送り機構、115…シフトドラム。
【図１】
2017155801.tif 000003
【図２】
2017155801.tif 000004
【図３】
2017155801.tif 000005
【図４】
2017155801.tif 000006
【図５】
2017155801.tif 000007
【図６】
2017155801.tif 000008